(57)【要約】      （修正有）【課題】二人以上でデスクとして同時の使用が簡単にできて、さらに移動、固定、仕切り、収納が容易にできる移動型ダブル折り畳みデスク収納箱体を提供する。【解決手段】幅２００〜３００ｍｍで、縦７００〜１２００ｍｍ、横７００〜１２００ｍｍの長方形の箱型収納体と、前記箱型収納体の両側面に蝶番７によって鉛直方向を回転軸として折り畳み的開閉可能に設置された２つの可動広面板２と、前記可動広面板の前記箱型収納体側の面の上部から１００〜３００ｍｍの位置に収納可能に取り付けるとともに、縦７００〜１０００ｍｍ、横７００〜９００ｍｍの略長方形の平面状であるフラット天面板１と、移動と固定を可能にして回動できる前記箱型収納体の下部に取り付けたロック付きキャスター支持脚とを備えている移動型ダブル折り畳みデスク収納箱体である。【選択図】図２
0003232302.tif 000002
【実用新案登録請求の範囲】
【請求項１】
幅２００〜３００ｍｍで、縦７００〜１０００ｍｍ、横７００〜９００ｍｍの長方形の箱型収納体と、
前記箱型収納体の両側面に蝶番によって鉛直方向を回転軸として折り畳み的開閉可能に設置された２つの可動広面板と、
前記可動広面板の前記箱型収納体側の面の上部から１００〜３００ｍｍの位置に収納可能に取り付けるとともに、縦７００〜１０００ｍｍ、横７００〜９００ｍｍの略長方形の平面状であるフラット天面板と、移動を可能にして回動できる前記箱型収納体の下部に取り付けたロック付きキャスター支持脚と
を備えていることを特徴とする移動型ダブル折り畳みデスク収納箱体。
【請求項２】
前記フラット天面板は、蝶番により水平方向を回転軸として折り畳み自在で、水平に支持できるフラット天面板を形成させる拡開位置と可動板の支持を解いて折り畳んだ状態にさせて格納させており、前記フラット天面板の蝶着によって折り畳み的に上下可動でき、水平に支持される拡開位置と、支持を解いて折り畳まれる格納位置との回動可能であることを特徴とする請求項１に記載の移動型ダブル折り畳みデスク収納箱体。
【請求項３】
移動を可能にして回動できる前記箱型収納体の下部にあるロック付きキャスター支持脚を取り付けている前記箱形収納体と前記可動広面板とを固定可能とする固定機能部を備え、前記固定機能部は、前記箱形収納体の側面及び前記可動広面板の中央部に取り付けたマグネット体、爪掛け体、錠体のいずれか一つとを有し、板面、壁面、床面に接して固定できるように箱形収納体及び可動広面板に金属製、樹脂製、木質製の棒状、板状の固定具を取り付けていることを特徴とする請求項１又は請求項２に記載の移動型ダブル折り畳みデスク収納箱体。
【請求項４】
前記箱型収納体の内部には、空洞、又は仕切り板が内設され、前記箱型収納体の天面には２００〜３００ｍｍで、高さ３００〜９００ｍｍ、長さ７００〜１２００ｍｍの本箱、収納棚、又は書類箱を固定し、前記可動広面板の前面に厚さ３〜５ｍｍ、高さ５００〜１０００ｍｍ、幅５００〜１０００ｍｍの樹脂製、又は木製平板のパーティションを立設できる取り付け口を所有していることを特徴とする請求項１〜請求項３のいずれかに記載の移動型ダブル折り畳みデスク収納箱体。
【考案の詳細な説明】
【技術分野】
【０００１】本考案は、ダブルで可動広面板である天板を折畳んだ状態で収納し、使用できる、所望場所に移動できる移動型ダブル折り畳みデスク収納箱体に関する。
【背景技術】
【０００２】二人以上でデスクとして同時の使用が簡単にできて、さらに移動、収納が容易にできるダブル折り畳みデスク収納箱体として、幅２００〜３００ｍｍ、縦７００〜１２００ｍｍ、横７００〜１２００ｍｍの長方形の箱型収納体と、箱型収納体の両側面に蝶番によって鉛直方向を回転軸として折り畳み開閉可能に設置された２つの可動広面板と、可動広面板の箱型収納体側の面の上部から１００〜３００ｍｍの位置に収納可能に取り付けられた、縦６００〜１０００ｍｍ、横４００〜８００ｍｍの略長方形の平面状であるフラット天面板と、を備える。フラット天面板は、蝶番により水平方向を回転軸として折り畳み自在であり、水平に支持される拡開位置と、折り畳まれる格納位置とで回動可能であるデスクが提案されている（特許文献１参照）。【０００３】収納部の天板を一側縁に開閉自在に取り付け、会合時の使用が簡単にできて、さらに移動、収納が容易にできる簡便式折り畳みミーティングデスクとして、簡便式折り畳みミーティングデスクは、折り畳み天板と回動できる支え板とこれらを固定出来て筆記可能な白板を付けた収納棚になっている固定設置台とからなっている。天板を厚さ２０〜３０ｍｍ、奥行き４００〜６５０ｍｍで、横幅３５０〜４５０ｍｍにして、固定設置台の高さ４００〜７００ｍｍの位置に蝶番にて作動的に設置して、固定設置台の蝶番で取り付けた支え板２を回動させて、デスク用の天板を持着させているものが提案さている（特許文献２参照）。【０００４】簡単、スムーズに天板デスクを引き出すことができ、使用しないときには折り畳んで収納できる壁掛け簡便式折り畳みデスクとして、折り畳み可能な天板３と回動できる支え板とこれらを収納出来て収納箱になっている壁掛け可動デスクにおいて、天板を厚さ２０〜３０ｍｍ、横幅４００〜６５０ｍｍで、縦幅３５０〜４５０ｍｍにして、収納箱の幅１３０〜１７０ｍｍ、横４５０〜７００ｍｍ、縦４００〜４７０ｍｍの箱状であり、天板は、収納箱の上部に上下回動できるように、しかも天板の緩和的作動できるように横板の一か所に駆動金具を緩和駆動できるように取り付け、さらに裏板は壁に取り付ける固定版板を設置して、天板の上下によってデスクとして、また収納箱の蓋として使用できる壁掛け簡便式折り畳みデスクが提案されている（特許文献３参照）。【０００５】机の機能を一体化し、その搬送、設置を容易にするとともに保管時において省スペース化を図れる折り畳みテーブルを提供することを目的として、パネルの両側縁の少なくとも一方から前方に延設される側パネルとから成るパーティションであり、前記後パネルに対して略水平な使用状態と、前記パネルに対して対向しかつ床面に対して略垂直な状態との両態様に配置可能であり、天板を略垂直状態でパネルに係止できる天板係止手段を有する折り畳みデスクが提案されている（特許文献４参照）。【０００６】回動可能とした脚により天板を支持する構造の折り畳み机において、乗せ置かれる天板を適正に支持する位置まで脚を引き出しても、天板が乗せ置かれるまでは床面に接触しないようにし、この折り畳み机を設置した床面に、脚の回動による擦り傷を生じさせないものが提案されている（特許文献５参照）。【０００７】移動型ダブル折り畳みデスク収納箱体として、部屋内を自由に移動出来て、使用できるものであり、しかも保管も確実にすることであって、使用時にプライベート的に活用できるようにしているダブルテスクであって、移動、或いは保管において、可動広面板が簡単に開いて、破損したし、傷をついたりしないように、箱型収納部と可動広面板とが固定できるようにロック部を設けたもの、また使用せずに収納時に、地震、あるいは、物品の衝突、或いは人間の接触によって、収納箱体の転倒の防止する収納可能な固定具、取り付け口を取り付けているものは存在していない。
【先行技術文献】
【特許文献】
【０００８】
【特許文献１】実用新案登録第３２１０９０４号公報
【特許文献２】実用新案登録第３２１７８４１号公報
【特許文献３】実用新案登録第３２２３２９８号公報
【特許文献４】特開２００２−１０１９５７号公報
【特許文献５】特開２００９−１９５３９９号公報
【考案の概要】
【考案が解決しようとする課題】
【０００９】折り畳みデスクでは、支持脚を収納部に回動自在に取り付けるため、部品点数が多く、コストアップ，工数アップの原因となっていた。しかもこの部分の組立性が製品バランスを左右するので、製造過程における精度が要求され、手数のかかるものとなっていた。また種々の場所に移動させて使用でき、安定に固定させて、さらに周囲の雑音を防げる折り畳みデスクとしてもダブルのデスクを望む方も多い。【００１０】上記したように一般のデスク、或いは折り畳みデスクは、支持脚及び収納部にキャスターを取
り付けて移動自在にしたものにあって、しっかりと固定が簡単にできず、またプラバシーと騒音を防ぐことが求められており、狭い部屋では二枚の広板を折畳み、デスクを格納した状態で収納したり、その二枚のデスク板を同時に使用する状態の場合には、部屋内をスムーズな移動が行なえないという問題を有していた。簡単にスムーズな移動、組み立てが行なえるしっかりと固定が簡単にできず、またプラバシーと騒音を防ぐことができて、ダブル折り畳みのデスクを持つ折り畳みデスクを提供することを課題する。【００１１】本考案は、狭い場所、部屋で２以上が同時に折り畳みデスクを使用して、作業、事務を行い、使用しない場合には、かたずけておき、持ち運びも容易なデスクが要望されている。また台所、キッチンで親と子供たちと学習を行う場合には、平板のデスクが２カ所あると便利である。これらのダブル折り畳みデスクを持つ簡易折り畳み机があって、運搬、或いは保管において、簡単なものが期待されている。特に箱型収納部と可動広面板とが固定できるようにロック部を設けて、しっかりと固定が簡単にできず、またプラバシーと騒音を防ぐことができて、運搬と持ち運びにロック状態にできるようにしていることができて、また前記収納部の固定広面板内部に安定に収納できるようにした二重折り畳みデスクが求められている。
【課題を解決するための手段】
【００１２】幅２００〜３００ｍｍで、縦７００〜１２００ｍｍ、横７００〜１２００ｍｍの長方形の箱型収納体と、
前記箱型収納体の両側面に蝶番によって鉛直方向を回転軸として折り畳み的開閉可能に設置された２つの可動広面板と、
前記可動広面板の前記箱型収納体側の面の上部から１００〜３００ｍｍの位置に収納可能に取り付けるとともに、縦６００〜１０００ｍｍ、横４００〜８００ｍｍの略長方形の平面状であるフラット天面板と、移動を可能にして回動できる前記箱型収納体の下部に取り付けたロック付きキャスター支持脚と
を備えている移動型ダブル折り畳みデスク収納箱体である。【００１３】前記フラット天面板は、蝶番により水平方向を回転軸として折り畳み自在で、水平に支持できるフラット天面板を形成させる拡開位置と可動板の支持を解いて折り畳んだ状態にさせて格納させており、前記フラット天面板の蝶着によって折り畳み的に上下可動でき、水平に支持される拡開位置と、支持を解いて折り畳まれる格納位置との回動可能である。【００１４】移動を可能にして回動できる前記箱型収納体の下部にあるロック付きキャスター支持脚を取り付けている前記箱形収納体と前記可動広面板とを固定可能とする固定機能部を備え、前記固定機能部は、前記箱形収納体の側面及び前記可動広面板の中央部に取り付けたマグネット体、爪掛け体、錠体のいずれか一つとを有し、板面、壁面、床面に接して固定できるように箱形収納体及び可動広面板に金属製、樹脂製、木質製の棒状、板状の固定具を取り付けている。【００１５】前記箱型収納体の内部には、空洞、又は仕切り板が内設され、前記箱型収納体の天面には２００〜３００ｍｍで、高さ３００〜９００ｍｍ、長さ７００〜１２００ｍｍの本箱、収納棚、又は書類箱を固定し、前記可動広面板の前面に厚さ３〜５ｍｍ、高さ５００〜１０００ｍｍ、幅５００〜１０００ｍｍの樹脂製、又は木製平板のパーティションを立設できる取り付け口を所有している。
【考案の効果】
【００１６】本考案は構成され、家庭での二人以上の勉学用デスクとして、収納部の天板と側板と平面板の間に支持脚を回動自在に持着するようにしたので、支持脚用に蝶番回転支持部材のみによって、部品点数が少なくてすみ、組立工数の削減、製造精度の緩和が実現される。また、可動広面板のフラット天面板を折畳んだ状態での移動時に支持脚のキャスターが作用しなくなるので、スムーズな移動が可能になり収納も簡単に可能である。しっかりと収納箱体を固定が簡単にでき、またパーティションの設置によってプライバシーと騒音を防ぐことができて、運搬と持ち運びにロック状態にできるようになった。【００１７】また収納時に置物台としても部屋の隅において使用ができる。さらに収納部の天板で、移動時の把手がわりと簡単にできることから便利であった。さらに移動、収納において折り畳みデスクの両可動広面板の開きが起こらず、運搬、移動が容易になった。また収納箱体を固定が簡単にでき、またパーティションの設置によってプライバシーと騒音を防ぐことができて使用も容易に行うようになった。また使用せずに収納時に、地震、あるいは、物品の衝突、或いは人間の接触によって、収納箱体の転倒の可能性が高い。部屋の隅に置物台として活用する場合には安定に静置しておくことができた。
【図面の簡単な説明】
【００１８】
【図１】パーティション付き移動型ダブル折り畳みデスク収納箱体  Ａ：デスク収納箱体  Ｂ：パーティション
【図２】パーティション付きダブル折り畳みデスク収納箱体デスクの両側取り出した状態の斜視図
【図３】移動型ダブル折り畳みデスク収納箱体でパーティションとキャスター支持脚とを取り付けた状態の図
【図４】書類棚付ダブル折り畳みデスク収納箱体デスクにキャスターの固定具とパーティションとしての書類棚と付けた状態を示す図
【考案を実施するための形態】
【００１９】本考案によれば、可動板を水平状態に支持する支持脚が収納部の天板と底板の間に挾着されて、拡開位置から格納位置までの範囲で回動自在となる。図１は、ダブル折り畳みデスク収納箱体の斜視図、図２は、ダブル折り畳みデスク収納箱体デスクの取り出しの斜視図を示した。
【００２０】また、収納部と支持脚の底部にはキャスタが取り付けてあるため、可動板を拡げた状態であっても折り畳んだ状態であっても移動が可能であり、しかも可動板を折り畳んだ状態での移動では、支持脚が係止部材に係止されることにより、支持脚のキャスタが接地しないようになり、移動がスムーズに行なえる。
【実施例１】
【００２１】図１に示すように幅３００ｍｍで、縦８００ｍｍ、横９００ｍｍの長方形の箱型収納体と、前記箱型収納体の両側面に蝶番によって鉛直方向を回転軸として折り畳み的開閉可能に設置された２つの可動広面板と、前記可動広面板の前記箱型収納体側の面の上部から２００ｍｍの位置に収納可能に取り付けるとともに、縦３８０ｍｍ、横８００ｍｍの略長方形の平面状であるフラット天面板と、上面にはパーティションを設置できるようにて、また移動を可能にして回動できる前記箱型収納体の下部に取り付けたロック付きキャスター支持脚とを備えている移動型ダブル折り畳みデスク収納箱体であった。【００２２】図２に示すように、長方形の箱型収納体の内部に収納している２基の前記フラット天面板は、蝶番により水平方向を回転軸として折り畳み自在で、水平に支持できるフラット天面板を形成させる拡開位置と可動板の支持を解いて折り畳んだ状態にさせて格納させており、前記フラット天面板の蝶着によって折り畳み的に上下可動でき、水平に支持される拡開位置と、支持を解いて折り畳まれる格納位置で回動させて、ダブルデスクにした。【００２３】移動を可能にして回動できる前記箱型収納体の下部にあるロック付きキャスター支持脚を取り付けている前記箱形収納体と前記可動広面板とを固定可能とする固定機能部を備え、前記固定機能部は、前記箱形収納体の側面及び前記可動広面板の中央部に取り付けた爪掛け体を有し、壁面と床面に接して固定できるように箱形収納体及び可動広面板に木質製の棒状の固定具を取り付けた。【００２４】前記箱型収納体の内部には、仕切り板が内設され、前記箱型収納体の天面には厚さ３ｍｍ、高さ７００ｍｍ、幅７００ｍｍの樹脂製のパーティションを立設できる取り付けた。２台の可動デスクを遮蔽的区分できるようにして、デスクを使用した。
【実施例２】
【００２５】図４に示すように、幅３００ｍｍで、縦８００ｍｍ、横９００ｍｍの長方形の箱型収納体と、前記箱型収納体の両側面に蝶番によって鉛直方向を回転軸として折り畳み的開閉可能に設置された２つの可動広面板と、前記可動広面板の前記箱型収納体側の面の上部から２５０ｍｍの位置に収納可能に取り付けるとともに、縦４００ｍｍ、横９００ｍｍの略長方形の平面状であるフラット天面板と、移動を可能にして回動できる前記箱型収納体の下部に取り付けたロック付きキャスター支持脚とを備えているパーティション代わりの本箱をもって、移動型ダブル折り畳みデスク収納箱体であった。【００２６】前記フラット天面板は、蝶番により水平方向を回転軸として折り畳み自在で、水平に支持できるフラット天面板を形成させる拡開位置と可動板の支持を解いて折り畳んだ状態にさせて格納させており、前記フラット天面板の蝶着によって折り畳み的に上下可動でき、水平に支持される拡開位置と、支持を解いて折り畳まれる格納位置との回動可能であった。【００２７】移動を可能にして回動できる前記箱型収納体の下部にあるロック付きキャスター支持脚を取り付けている前記箱形収納体と前記可動広面板とを固定可能とする固定機能部を備え、前記固定機能部は、前記箱形収納体の側面及び前記可動広面板の中央部に取り付けたマグネット体を有し、板面に接して固定できるように箱形収納体及び可動広面板に金属製棒状、板状の固定具を取り付けた。【００２８】前記箱型収納体の内部には、仕切り板が内設され、前記箱型収納体の天面には３００ｍｍで、高さ５００ｍｍ、長さ８００ｍｍの本箱を固定し、パーティションとして活用した。
【符号の説明】
【００２９】１．フラット天面板
２．可動広面板
３．天板
４．支持脚
５．キャスター
６．支持体
７．蝶番
８．棚板
９．箱型収納体
１０．ロック機能
１１．パーティション
１２．磁性体
【図１】
0003232302.tif 000003
【図２】
0003232302.tif 000004
【図３】
0003232302.tif 000005
【図４】
0003232302.tif 000006
【手続補正書】
【提出日】令和3年2月8日(2021.2.8)
【手続補正１】
【補正対象書類名】実用新案登録請求の範囲
【補正対象項目名】全文
【補正方法】変更
【補正の内容】
【実用新案登録請求の範囲】
【請求項１】
幅２００〜３００ｍｍで、縦７００〜１０００ｍｍ、横７００〜９００ｍｍの長方形の箱型収納体と、
前記箱型収納体の両側面に蝶番によって鉛直方向を回転軸として折り畳み的開閉可能に設置された２つの可動広面板と、
前記可動広面板の前記箱型収納体側の面の上部から１００〜３００ｍｍの位置に収納可能に取り付けるとともに、縦７００〜１０００ｍｍ、横７００〜９００ｍｍの略長方形の平面状であるフラット天面板と、移動を可能にして回動できる前記箱型収納体の下部に取り付けたロック付きキャスター支持脚と
を備えていることを特徴とする移動型ダブル折り畳みデスク収納箱体。
【請求項２】
前記フラット天面板は、蝶番により水平方向を回転軸として折り畳み自在で、水平に支持できるフラット天面板を形成させる拡開位置と可動板の支持を解いて折り畳んだ状態にさせて格納させており、前記フラット天面板の蝶着によって折り畳み的に上下可動でき、水平に支持される拡開位置と、支持を解いて折り畳まれる格納位置との回動可能であることを特徴とする請求項１に記載の移動型ダブル折り畳みデスク収納箱体。
【請求項３】
移動を可能にして回動できる前記箱型収納体の下部にあるロック付きキャスター支持脚を取り付けている前記箱形収納体と前記可動広面板とを固定可能とする固定機能部を備え、前記固定機能部は、前記箱形収納体の側面及び前記可動広面板の中央部に取り付けたマグネット体、爪掛け体、錠体のいずれか一つとを有し、板面、壁面、床面に接して固定できるように箱形収納体及び可動広面板に金属製、樹脂製、木質製から選ばれた棒状、又は板状で、床へ接着させるスライド式留め具、或いはネジ込み式留め具、或いは押し倒し式留め具から選ばれた固定具を取り付けていることを特徴とする請求項１又は請求項２に記載の移動型ダブル折り畳みデスク収納箱体。
【請求項４】
前記箱型収納体の内部には、空洞、又は仕切り板が内設され、前記箱型収納体の天面には２００〜３００ｍｍで、高さ３００〜９００ｍｍ、長さ７００〜１２００ｍｍの本箱、収納棚、又は書類箱を固定し、前記可動広面板の前面に厚さ３〜５ｍｍ、高さ５００〜１０００ｍｍ、幅５００〜１０００ｍｍの樹脂製、又は木製平板のパーティションを立設できる取り付け口を所有していることを特徴とする請求項１〜請求項３のいずれかに記載の移動型ダブル折り畳みデスク収納箱体。
【手続補正２】
【補正対象書類名】明細書
【補正対象項目名】００１４
【補正方法】変更
【補正の内容】
【００１４】移動を可能にして回動できる前記箱型収納体の下部にあるロック付きキャスター支持脚を取り付けている前記箱形収納体と前記可動広面板とを固定可能とする固定機能部を備え、前記固定機能部は、前記箱形収納体の側面及び前記可動広面板の中央部に取り付けたマグネット体、爪掛け体、錠体のいずれか一つとを有し、板面、壁面、床面に接して固定できるように箱形収納体及び可動広面板に金属製、又は樹脂製、又は木質製から選ばれた棒状、又は板状で、床へ接着させるスライド式留め具、或いはネジ込み式留め具、或いは押し倒し式留め具から選ばれた留め具によって床へ接着させる固定具を取り付けている。
【手続補正３】
【補正対象書類名】図面
【補正対象項目名】全図
【補正方法】変更
【補正の内容】
【図１】
0003232302.tif 000007
【図２】
0003232302.tif 000008
【図３】
0003232302.tif 000009
【図４】
0003232302.tif 000010